(57)【要約】      （修正有）【課題】安全カッターを提供する。【解決手段】安全カッターは、本体に伸縮する刃片と圧制棒を設置し、本体内に弾性素子を有して、圧制棒に弾力を施加し、圧制棒が外力作用を受けない下、本体を伸出する。圧制棒は不使用時、本体内に縮入し、必要時に本体から伸出させることができ、長さは刃片が伸出する長さより長く、裁断物を裁断する時、まず、圧制棒が裁断物を圧制して、裁断物の移動を防止し、刃片により裁断する。圧制棒は、随時、刃片に応じて、適当に伸縮し、使用者の手指が裁断物を押さえている時に、怪我する危険を回避する。【選択図】図２
0003144310.tif 000002
【実用新案登録請求の範囲】
【請求項１】
安全カッターであって、
第一槽と第二槽からなり、前記第二槽に隣接する側壁にスイッチと鎖定器を設置する本体と、
前記本体の第一槽に設置され、ボタンを結合して、前記第一槽から伸出、或いは、縮入する刃片と、
前記本体の第二槽内に設置され、一端が前記第二槽との間に弾性素子を有し、前記弾性素子が弾力を施加して、外力作用を受けない下、前記第二槽を伸出し、側壁に、前記スイッチ、或いは、前記鎖定器と嵌合する洞孔を有する圧制棒と、
からなることを特徴とする安全カッター。
【請求項２】
前記圧制棒は、前記第二槽を伸出する一端に、湾曲する頭部を有し、且つ、前記圧制棒は前記刃片に向かう一面にU字型槽を有し、前記圧制棒と前記刃片のブレード間に、適当な傾斜角を有することを特徴とする請求項１に記載の安全カッター。
【請求項３】
前記鎖定器は前記本体に枢設され、且つ、前記鎖定器の内側面に凸柱を有し、前記圧制棒の洞孔は前記鎖定器の位置に対応する時、前記鎖定器を作動して、前記凸柱を前記洞孔に挿入して、嵌合固定することを特徴とする請求項１に記載の安全カッター。
【考案の詳細な説明】
【技術分野】
【０００１】
本考案は、カッターに関するものであって、特に、裁断時、刃片とブレード前方に弾性伸縮圧制棒を有し、適時の弾性伸縮により、手指を怪我から守る設計のカッターに関するものである。
【背景技術】
【０００２】
カッターは創作や紙の裁断に使用し、裁断時に、裁断する物が動くのを防止するため、片方の手で物を押さえ、もう片方の手でカッターを持ち、裁断する。尺を併用する時、片方の手は尺を押さえて、カッターが尺に沿って、安定して裁断を実行する。
【考案の開示】
【考案が解決しようとする課題】
【０００３】
本考案の目的は、公知のカッターの使用時に、裁断する物や尺を押さえている方の手が怪我しやすいことを改善するカッターを提供することにある。
【課題を解決するための手段】
【０００４】
本考案のカッターは、伸縮圧制棒を有するカッターで、圧制棒は刃片の前方に位置し、カッターを使用する時、圧制棒を操作して伸出させ、裁断時に、まず、圧制棒が切断物を圧制し、その後、刃片が裁断物に対し裁断を実行し、使用者の手が裁断物を押さえている時に、適当な弾性の伸縮圧制棒により保護されて、安全効果を達成する。カッターの不使用時、刃片と圧制棒はカッター本体内に縮入するので、収納と携帯に影響しない。
【考案の効果】
【０００５】
公知のカッターの使用時に、裁断する物や尺を押さえている方の手が怪我しやすいことを改善するカッターで、カッターの不使用時、刃片と圧制棒はカッター本体内に縮入するので、収納と携帯に影響しないという長所もある。
【考案を実施するための最良の形態】
【０００６】
図１、図２、及び、図６は、本考案の安全カッターの好ましい実施例を示す図で、一般のカッターと同様の構造である本体１からなり、本体１は、第一槽１１と第二槽１２を設置し、第一槽１１内に、刃片１３を装着する。刃片１３の適当な位置に、ボタン部１３１を設置し、ボタン部１３１を押すことにより、刃片１３を第一槽１１から伸出させたり、縮入させたりでき、使用方式は公知のカッターと同様である。
【０００７】
本考案の特徴は、第二槽１２内の滑動に圧制棒２を設置していることである。圧制棒２は、第二槽１２の一端から伸出して、湾曲した頭部２１を形成している。圧制棒２は、刃片１３の側面向きに、頭部２１に延伸するU字型槽２１１を設置し、第二槽１２内のもう一端は、第二槽１２の裏端との間に弾性素子３を設置する。弾性素子３により弾力を圧制棒２に加え、圧制棒２は、外力作用を受けない自然な状態下で、自動的に第二槽１２から弾き出る。圧制棒２が第二槽１２の極限まで縮入し、また、第二槽１２の極限まで伸出して、それぞれ、固定するために、本考案は、圧制棒２の側壁の適当な箇所に、洞孔２２を設置する。本体１の第二槽１２に隣接する側壁の適当な位置に、洞孔２２にそれぞれ嵌合するスイッチ１４と鎖定器１５を設置する。鎖定器１５は、本考案の実施例において、本体１に枢設され、且つ、鎖定器１５の内側面は、洞孔２２に挿入する凸柱１５１を設置し（図３で示される）、圧制棒２が第二槽１２の極限に伸出する時、洞孔２２は鎖定器１５の凸柱１５１の位置に対応する。この時、一方向に、鎖定器１５を作動すれば、凸柱１５１が洞孔２２に挿入して、嵌合固定し、圧制棒２が第二槽１２に縮入するのを防止する。相反する方向に、鎖定器１５を作動するとき、凸柱１５１は洞孔２２を脱離して、圧制棒２が、弾性伸縮状態になり、この時、圧制棒２は施圧して、第二槽１２に縮入し、圧制棒２が第二槽１２の極限まで縮入する時、スイッチ１４内側の嵌合構造（図示しない）が洞孔２２を嵌合し、圧制棒２が第二槽１２に固定されて伸出せず、スイッチ１４を再度押さないと、洞孔２２の嵌合が解除できず、弾性素子３の弾力が圧制棒２を推出する。
【０００８】
図４A〜図４Cは、本考案のカッターによる裁断過程を示す図で、まず、伸出した圧制棒２の頭部２１が裁断物表面を圧制し（図４Aで示される）、その後、圧制棒２が裁断物に対し圧力を加え、圧制棒２を適当に本体内に縮入し（図４Bで示される）、圧制棒２の裁断物に対する圧力を増加し、カッターを移動して裁断する。
【０００９】
図５A〜図５Cは、裁断完成後、カッターを戻す過程を示す図で、まず、刃片１３の先端が裁断物を離れ（図５Aで示される）、その後、刃片１３を上移させる時、圧制棒２が、弾力素子３の作用により伸長し、裁断物が受ける圧制棒の圧力が軽減し（図５Bで示される）、圧制棒２が完全に伸出後、頭部２１は、裁断物に対し圧制力を生成せず、完全に戻る（図５Cで示される）。
【００１０】
図７で示されるように、本考案のカッターは、裁断物５に対して懸空で裁断する時、圧制棒２を完全に伸出させると共に、鎖定器１５により固定し、その後、直接、裁断物５を刃片１３と圧制棒２の間に置き、刃片１３により裁断し、刃片１３のブレードと圧制棒２間に適当な傾斜角Aを有するので、裁断物５の進入裁断が容易である。傾斜角Aの好ましい角度は５〜１０度である。
【００１１】
図８で示されるように、本考案のカッターが尺４を併用して裁断する方式は、圧制棒２が裁断物上を圧制し、刃片１３が裁断物に対し裁断を実行する。
【図面の簡単な説明】
【００１２】
【図１】本考案のカッターの外観立体図である。
【図２】本考案のカッターの主要構造特徴と圧制棒が本体前端に伸出する実施例の立体図である。
【図３】図２中の圧制棒が完全に本体から伸出し、固定する実施例の立体図である。
【図４Ａ】本考案の圧制棒と刃片が順に裁断物を圧制し、裁断する実施例の局部立体図である。
【図４Ｂ】本考案の圧制棒と刃片が順に裁断物を圧制し、裁断する実施例の局部立体図である。
【図４Ｃ】本考案の圧制棒と刃片が順に裁断物を圧制し、裁断する実施例の局部立体図である。
【図５Ａ】本考案の刃片と圧制棒が順に戻る実施例の局部立体図である。
【図５Ｂ】本考案の刃片と圧制棒が順に戻る実施例の局部立体図である。
【図５Ｃ】本考案の刃片と圧制棒が順に戻る実施例の局部立体図である。
【図６】本考案の圧制棒を本体の局部に設置した構造立体図である。
【図７】本考案のカッターを直接懸空の裁断物の裁断に用いる実施例の立体図である。
【図８】本考案のカッターが尺と併用されて、机に置かれた裁断物に対し裁断する実施例の立体図である。
【符号の説明】
【００１３】
本体１
圧制棒２
弾性素子３
第一槽１１
第二槽１２
刃片１３
スイッチ１４
鎖定器１５
頭部２１
洞孔２２
ボタン部１３１
凸柱１５１
U字型槽２１１
【図１】
0003144310.tif 000003
【図２】
0003144310.tif 000004
【図３】
0003144310.tif 000005
【図４Ａ】
0003144310.tif 000006
【図４Ｂ】
0003144310.tif 000007
【図４Ｃ】
0003144310.tif 000008
【図５Ａ】
0003144310.tif 000009
【図５Ｂ】
0003144310.tif 000010
【図５Ｃ】
0003144310.tif 000011
【図６】
0003144310.tif 000012
【図７】
0003144310.tif 000013
【図８】
0003144310.tif 000014